(57)【要約】【課題】本発明は、高い放熱効率を有する照明装置を提供することを目的とする。【解決手段】本発明に係る照明装置は、対向して設置される第一端及び第二端を備える放熱部材と、少なくとも１つの貫通孔を有する基板と、前記基板の貫通孔を貫いて前記放熱部材の第一端に接続される少なくとも１つの固体発光素子と、前記放熱部材の第二端に設置され且つ前記基板に電気接続する電源接続部と、を備え、前記固体発光素子は、前記基板に結合され且つその電極は前記基板の回路に電気接続する。【選択図】図１
2011086618.tif 000002
【特許請求の範囲】
【請求項１】
対向して設置される第一端及び第二端を備える放熱部材と、
少なくとも１つの貫通孔を有する基板と、
前記基板の貫通孔を貫いて前記放熱部材の第一端に接続される少なくとも１つの固体発光素子と、
前記放熱部材の第二端に設置され且つ前記基板に電気接続する電源接続部と、
を備えてなる照明装置であって、
前記固体発光素子は、前記基板に結合され且つその電極は前記基板の回路に電気接続することを特徴とする照明装置。
【請求項２】
前記放熱部材の第一端は、単一平面からなることを特徴とする請求項１に記載の照明装置。
【請求項３】
前記放熱部材の第一端は、複数の斜面からなることを特徴とする請求項１に記載の照明装置。
【請求項４】
前記放熱部材の外周面には放熱フィンが設置されることを特徴とする請求項２又は３に記載の照明装置。
【請求項５】
前記固体発光素子の数量は複数であり、前記放熱部材の第一端に均一に分布されることを特徴とする請求項１に記載の照明装置。
【請求項６】
前記照明装置は、１つの開放端から開放される収容空間を有するランプカバーをさらに備え、
前記開放端は前記放熱部材の第一端に結合され、
前記基板及び前記少なくとも１つの固体発光素子は前記収容空間内に収容されることを特徴とする請求項１に記載の照明装置。
【請求項７】
前記ランプカバーは、前記固体発光素子の光学素子として、前記固体発光素子の配光分布を調整することを特徴とする請求項６に記載の照明装置。
【請求項８】
前記少なくとも１つの固体発光素子は、電気絶縁する熱伝導ゴムによって前記放熱部材の第一端に接続されることを特徴とする請求項１に記載の照明装置。
【請求項９】
前記基板の底面と前記放熱部材の第一端との間に隙間が形成されることを特徴とする請求項１に記載の照明装置。
【発明の詳細な説明】
【技術分野】
【０００１】
本発明は、照明装置に関するものであって、特に放熱効率を高めることができる照明装置に関するものである。
【背景技術】
【０００２】
半導体発光素子を採用して製作された発光ダイオード（Light Emitting Diode，ＬＥＤ）は、高輝度、低消費電力、長寿命である等の利点を有することから、冷陰極蛍光ランプ（Cold Cathode Fluorescent Lamp，ＣＣＦＬ）に代わってランプの光源として広く応用される。
【０００３】
従来の発光ダイオードランプは、放熱部材、口金、基板及び複数の発光ダイオードを備える。前記口金は、前記放熱部材の一端に接続されており、前記基板は、前記放熱部材の他端に接続されており、前記複数の発光ダイオードは、前記基板に設置されている。
【発明の概要】
【発明が解決しようとする課題】
【０００４】
前記基板は、ガラス繊維などの材質からなるプリント基板であり、高温に耐える効果を有するため、熱伝導効果が悪い。前記発光ダイオードランプは長時間作動すると、前記発光ダイオードが生じる熱量が多くなるが、前記熱量は前記基板に蓄積されて前記放熱部材に高効率に熱伝導することができず、温度が一定の温度に達すると、発光ダイオードの内部量子効率が低下し、発光ダイオードの寿命が短縮される。従って、発光ダイオードが作動する時に生じる熱量を即時に放熱しなければならない。
【０００５】
本発明の目的は、前記課題を解決し、高い放熱効率を有する照明装置を提供することである。
【課題を解決するための手段】
【０００６】
本発明に係る照明装置は、対向して設置される第一端及び第二端を備える放熱部材と、少なくとも１つの貫通孔を有する基板と、前記基板の前記貫通孔を貫いて前記放熱部材の第一端に接続される少なくとも１つの固体発光素子と、前記放熱部材の第二端に設置され且つ前記基板に電気接続する電源接続部と、を備え、前記固体発光素子は、前記基板に結合され且つその電極は前記基板の回路に電気接続する。
【発明の効果】
【０００７】
本発明の照明装置において、固体発光素子は放熱部材に直接接触するため、前記固体発光素子が生じる熱量は、前記放熱部材に直接高効率で熱伝導されて熱交換を行う。従って前記固体発光素子の寿命が短縮せず、前記照明装置の放熱効率を高めて、前記照明装置の製品性能を高めることができる。
【図面の簡単な説明】
【０００８】
【図１】本発明の第一実施形態に係る照明装置の構造を示す図である。
【図２】本発明の第二実施形態に係る照明装置の構造を示す図である。
【図３】本発明の第三実施形態に係る照明装置の構造を示す図である。
【発明を実施するための形態】
【０００９】
以下、図面を参照して、本発明の実施形態について説明する。
【００１０】
図１に示されたように、本発明の第一実施形態に係る照明装置１００は、放熱部材１０と、固体発光素子２０と、基板３０と、電源接続部４０と、ランプカバー５０と、を備える。
【００１１】
前記放熱部材１０は、対向して設置される第一端及び第二端を備える。前記放熱部材１０の外周面には放熱フィン１２が設置されているため、前記放熱部材１０の熱交換効率を向上させる。本実施形態において、前記放熱部材１０は、銅、アルミニウムなどのような放熱効果が優れる材質からなり、その第一端は、単一平面である。
【００１２】
前記固体発光素子２０は、対向して設置される底面及び光射出面を備える。前記固体発光素子２０の底面は、電気絶縁する熱伝導ゴムによって前記放熱部材１０の第一端に固定接続される。前記固体発光素子２０の数量は、実際の照明要件によって増減してもよい。本実施形態において、前記固体発光素子２０は、発光ダイオードである。
【００１３】
前記基板３０には、貫通孔３２が設けられている。前記固体発光素子２０は前記貫通孔３２を貫いて前記基板３０に結合され、前記固体発光素子２０の電極は前記基板３０の電気回路に電気接続する。本実施形態において、前記基板３０は、フレキシブルプリント基板である。前記貫通孔３２の寸法及び数量は、前記固体発光素子２０の寸法及び数量に対応する。前記基板３０の底面と前記放熱部材１０の第一端との間には、隙間が形成される。
【００１４】
前記電源接続部４０は、前記放熱部材１０の第二端に接続される。前記電源接続部４０の外部には、前記電源接続部４０を外部電源に電気接続するために用いられる螺合部又は係合部が設けられている。本実施形態において、前記電源接続部４０は、螺合部を有する接続部である。電気接続用導線（図示せず）は、前記放熱部材１０を貫いて前記電源接続部４０及び前記基板３０に電気接続して、前記基板３０及び前記固体発光素子２０に電力を提供する。
【００１５】
前記ランプカバー５０は、前記放熱部材１０の第一端に結合された開放端５４から開放される収容空間５２を有し、前記固体発光素子２０及び前記基板３０は、前記収容空間５２に収容される。前記ランプカバー５０は、前記固体発光素子２０の光学素子として、前記固体発光素子２０の配光分布を調整することができる。光学素子は、レンズ又は反射カバーであってもよく、前記固体発光素子２０からの光線の射出角度又は配光曲線を変更するために用いられる。
【００１６】
前記固体発光素子２０は、前記放熱部材１０に直接接触するため、前記照明装置１００を長時間使用すると、前記固体発光素子２０が生じる熱量は多くなるが、該熱量は前記放熱部材１０に直接高効率に熱伝導されて熱交換を行う。従って前記固体発光素子２０の寿命が短縮しなく、前記照明装置１００の放熱効率を高めて、前記照明装置１００の製品性能を高めることができる。
【００１７】
固体発光素子の数量を増加することにより、照明装置の輝度を高めることができる。図２を参照すると、本発明の第二実施形態に係る照明装置１００ａは、放熱部材１０と、複数の固体発光素子２０ａと、基板３０ａと、電源接続部４０と、ランプカバー５０と、を備える。前記第一実施形態に係る照明装置１００に比べて、本実施形態に係る照明装置１００ａにおいて、複数の固体発光素子２０ａの底面はそれぞれ前記放熱部材１０の第一端の異なる位置に接続され、前記基板３０ａには、前記複数の固体発光素子２０ａに対応される複数の貫通孔３２ａが設けられている。前記複数の固体発光素子２０ａは、それぞれ対応する前記貫通孔３２ａを貫いて前記基板３０ａに結合され、前記固体発光素子２０ａの電極は前記基板３０ａの電気回路に電気接続する。
【００１８】
前記複数の固体発光素子２０ａは、前記放熱部材１０の第一端の異なる位置に直接接触するため、前記照明装置１００ａを長時間使用すると、前記複数の固体発光素子２０ａが生じる熱量は多くなるが、該熱量は前記放熱部材１０の異なる位置に直接高効率に熱伝導されて熱交換を行って、前記照明装置１００ａの放熱効率を高める。
【００１９】
図３に示されたように、本発明の第三実施形態に係る照明装置１００ｂは、放熱部材１０と、複数の固体発光素子２０ｂと、基板３０ｂと、電源接続部４０と、ランプカバー５０と、を備える。前記第二実施形態に係る照明装置１００ａに比べて、本実施形態に係る照明装置１００ｂにおいては、前記放熱部材１０の第一端に複数の斜面１４、１６が設けられており、複数の固体発光素子２０ｂが、それぞれ前記基板３０ｂの複数の貫通孔３２ｂを貫いて前記複数の斜面１４、１６に接続されるため、前記複数の固体発光素子２０ｂの光射出面が異なる方向を向いて、前記照明装置１００ｂによって広い領域を照明することができる。
【００２０】
前記複数の固体発光素子２０ｂの底面は、それぞれ前記放熱部材１０の第一端の複数の斜面１４、１６に直接接触するため、前記照明装置１００ｂを長時間使用すると、前記複数の固体発光素子２０ｂが生じる熱量は多くなるが、該熱量は前記放熱部材１０の異なる斜面１４、１６に直接高効率に熱伝導されて熱交換を行って、前記照明装置１００ｂの放熱効率を高める。
【００２１】
以上、本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲から決まる。
【符号の説明】
【００２２】
１０  放熱部材
１２  放熱フィン
１４、１６  斜面
２０、２０ａ、２０ｂ  固体発光素子
３０、３０ａ、３０ｂ  基板
３２、３２ａ、３２ｂ  貫通孔
４０  電源接続部
５０  ランプカバー
５２  収容空間
５４  開放端
１００、１００ａ、１００ｂ  照明装置
【図１】
2011086618.tif 000003
【図２】
2011086618.tif 000004
【図３】
2011086618.tif 000005